(57)【要約】【課題】    下肢の筋肉を広範囲で保持することができる筋肉サポート機能が向上された下肢用衣類を提供する。【解決手段】    大腿部は、螺旋状の第１レッグ部５と、第１レッグ部５が密着する領域以外の領域に密着する第２レッグ部６とによって包被し、下腿部は、螺旋状の第３レッグ部８と、第３レッグ部８が密着する領域以外の領域に密着する第４レッグ部９とによって包被するように構成する。【選択図】      図１
2016199820.tif 000002
【特許請求の範囲】
【請求項１】
着用者の大腿部に、螺旋状に巻掛けられた状態で密着する、第１編地から成る帯状の第１大腿密着部と、
着用者の大腿部の前記第１大腿密着部が密着した領域を除く残余の領域に密着する、前記第１編地よりも低い緊締力を有する第２編地から成る第２大腿密着部と、
着用者の下腿部に、螺旋状に巻掛けられた状態で密着する、第３編地から成る帯状の第１下腿密着部と、
着用者の下腿部の前記第１下腿密着部が密着した領域を除く残余の領域に密着する、前記第３編地よりも低い緊締力を有する第４編地から成る第２下腿密着部と、を含むことを特徴とする下肢用衣類。
【請求項２】
前記第２編地の緊締力は、前記第４編地の緊締力よりも低いことを特徴とする請求項１に記載の下肢用衣類。
【請求項３】
前記第１編地の緊締力と前記第３編地の緊締力とは、同じであることを特徴とする請求項１または２に記載の下肢用衣類。
【請求項４】
前記第１大腿密着部は、着用者の膝部から股関節部寄りになるにつれて幅が大きいことを特徴とする請求項１〜３のいずれか１つに記載の下肢用衣類。
【請求項５】
前記第１下腿密着部は、着用者の足首部から膝部寄りになるにつれて幅が大きいことを特徴とする請求項１〜４のいずれか１つに記載の下肢用衣類。
【発明の詳細な説明】
【技術分野】
【０００１】
本発明は、レギンス、トレンカ、スパッツ、タイツなどの下肢用衣類に関する。
【背景技術】
【０００２】
典型的な従来技術は、たとえば特許文献１に記載されている。この従来技術では、パンティ部の上端にあるウエスト・バンドから、パンティ部の外側面を通り、レッグ部における大腿部の前面、膝部の内側面および下腿部にかけて延在させる第１の強締付領域と、パンティ部の上端にあるウエスト・バンドから、パンティ部の外側面を通り、レッグ部における大腿部の外側面、膝部の外側面および下腿部にかけて延在させる第２の強締付領域と、を有し、第１および第２の強締付領域は、膝部の上部で交差し、第２の強締付領域がベース生地部より伸縮抵抗が大きく、かつ第１の強締付領域よりも伸縮抵抗が小さいという構成を採用している。
【０００３】
このような構成によって、この従来技術では、インナーウェアの着用者の膝に対して内側面から外側面に向かって強い押力を与え、レッグ部の外側面から膝に外力を受けた場合に、外力を緩和する膝部の内側面から外側面に向けて反発力を生じさせ、外力によって膝が内側に入り込まず、内側側副靭帯の損傷を抑制することができる。また、第２の強締付領域によって、インナーウェアの着用者の腰、大腿部および膝の外側面が支持されるので、第１の強締付領域による内側面に掛かる押圧力とのバランスを取り、着用者の安定した起立状態を維持することができる。また、第１の強締付領域と第２の強締付領域とによって膝部が挟持されるので、インナーウェアの着用者の膝が左右にぶれにくくなり、安定性を確保することができる。
【先行技術文献】
【特許文献】
【０００４】
【特許文献１】特開２００４−２３８７８９号公報
【発明の概要】
【発明が解決しようとする課題】
【０００５】
前述の従来技術では、第１の強締付領域は、パンティ部の上端のウエスト・バンドから、該パンティ部の外側面を通り、レッグ部における大腿部の前面、膝部の内側面および下腿部にかけて延在し、第２の強締付領域は、パンティ部の上端のウエスト・バンドから、該パンティ部の外側面を通り、レッグ部における大腿部の外側面、膝部の外側面および下腿部にかけて延在するが、インナーウェアが着用者に着用された状態では、大腿部における太もも裏側の大腿二頭筋、および下腿部におけるふくらはぎ（腓腹）の下腿三頭筋などの筋肉は、上記第１および第２の強締付領域によって保持されないので、運動時に大腿二頭筋および下腿三頭筋などに外力が作用したとき、その外力に抗して安定に保持する、いわゆる筋肉サポート機能がなく、大腿二頭筋および下腿三頭筋などの下肢背後の筋肉の負荷を軽減することができないという問題がある。
【０００６】
本発明の目的は、下肢の筋肉を広範囲で保持することができる筋肉サポート機能が向上された下肢用衣類を提供することである。
【課題を解決するための手段】
【０００７】
本発明は、着用者の大腿部に、螺旋状に巻掛けられた状態で密着する、第１編地から成る帯状の第１大腿密着部と、
着用者の大腿部の前記第１大腿密着部が密着した領域を除く残余の領域に密着する、前記第１編地よりも低い緊締力を有する第２編地から成る第２大腿密着部と、
着用者の下腿部に、螺旋状に巻掛けられた状態で密着する、第３編地から成る帯状の第１下腿密着部と、
着用者の下腿部の前記第１下腿密着部が密着した領域を除く残余の領域に密着する、前記第３編地よりも低い緊締力を有する第４編地から成る第２下腿密着部と、を含むことを特徴とする下肢用衣類である。
【０００８】
また本発明は、前記第２編地の緊締力は、前記第４編地の緊締力よりも低いことを特徴とする。
【０００９】
また本発明は、前記第１編地の緊締力と前記第３編地の緊締力とは、同じであることを特徴とする。
【００１０】
また本発明は、前記第１大腿密着部は、着用者の膝部から股関節部寄りになるにつれて幅が大きいことを特徴とする。
【００１１】
また本発明は、前記第１下腿密着部は、着用者の足首部から膝部寄りになるにつれて幅が大きいことを特徴とする。
【発明の効果】
【００１２】
本発明によれば、下肢用衣類は、第１および第２大腿密着部、第１および第２下腿密着部を含んで構成され、これらは伸縮性を有する編地から成る。下肢用衣類を着用者が下肢に着用した状態では、大腿部には第１および第２大腿密着部が密着する。第２大腿密着部の緊締力は、螺旋状の第１大腿密着部の緊締力よりも低いので、運動による大腿部全体の変位・変形を許容し、大腿部に対して過度に締過ぎない適切な着圧で保持することができる。また第１大腿密着部によって、大腿部の筋肉を第２大腿密着部よりも大きな着圧で保持することができるので、大腿部の筋肉を下から上へ誘導し、一定以上の筋肉の変位・変形を全方向に対して抑制し、保持することができ、優れたサポート機能を得ることができる。
【００１３】
また、下腿部には、第１および第２下腿密着部が密着する。第２下腿密着部の緊締力は、螺旋状の第１下腿密着部の緊締力よりも低いので、運動による下腿部全体の変位・変形を許容し、下腿部に対して過度に締過ぎない適切な着圧で保持することができる。また、第１下腿密着部によって、下腿部の筋肉を第２下腿密着部よりも大きな着圧で保持することができるので、下腿部の筋肉を下から上へ誘導し、一定以上の筋肉の変位・変形を全方向に対して抑制し、保持することができ、優れたサポート機能を得ることができる。
【００１４】
また本発明によれば、第２編地の緊締力が第４編地の緊締力よりも低いので、太い大腿部に対しては着圧が低く、細い下腿部に対しては大腿部よりも着圧を高くすることができ、部位に応じた着圧を得ることができる。
【００１５】
また本発明によれば、第１編地の緊締力と第３編地の緊締力とが同じであるので、大腿部および下腿部の筋肉の過度の変位・変形に対して同様に抗することができる。
【００１６】
また本発明によれば、螺旋状の第１大腿密着部は膝部から股関節部寄りになるにつれて幅が大きくなるので、大腿部の筋肉を下から上へ着圧を高くして誘導し、筋肉を支えて保持するというサポート機能を向上することができる。
【００１７】
また本発明によれば、螺旋状の第１下腿密着部は足首部から膝部寄りになるにつれて幅が大きくなるので、下腿部の筋肉を下から上へ着圧を高くして誘導し、筋肉を支えて保持するというサポート機能を向上することができる。
【図面の簡単な説明】
【００１８】
【図１】本発明の一実施形態の下肢用衣類１の前身頃１ａを示す正面図である。
【図２】下肢用衣類１の後身頃１ｂを示す背面図である。
【図３】下肢用衣類１を着用者２が下肢３に着用した状態を斜め前から見た斜視図である。
【図４】下肢用衣類１を着用者２が下肢３に着用した状態を斜め後から見た斜視図である。
【図５】下肢用衣類１を着用した着用者２の下肢３へのサポート機能を説明するための図である。
【図６】下肢３を正面および背後から見た図である。
【発明を実施するための形態】
【００１９】
図１は本発明の一実施形態の下肢用衣類１の前身頃１ａを示す正面図であり、図２は下肢用衣類１の後身頃１ｂを示す背面図である。図３は下肢用衣類１を着用者２が下肢３に着用した状態を斜め前から見た斜視図であり、図４は下肢用衣類１を着用者２が下肢３に着用した状態を斜め後から見た斜視図である。
【００２０】
本実施形態では、下肢用衣類１は、運動時に着用者２の下肢３に着用されるレギンスなどの衣類であって、着用者２の大腿部４に、螺旋状に巻掛けられた状態で密着する帯状の第１大腿密着部である第１レッグ部５と、着用者２の大腿部４の第１レッグ部５が密着した領域を除く残余の領域に密着する第２大腿密着部である第２レッグ部６と、着用者２の下腿部７に、螺旋状に巻掛けられた状態で密着する帯状の第１下腿密着部である第３レッグ部８と、着用者２の下腿部７の第３レッグ部８が密着した領域を除く残余の領域に密着する第２下腿密着部である第４レッグ部９と、パンティ部１０とを含む。
【００２１】
第１レッグ部５は、第１編地から成る。第１編地としては、平編組織が用いられる。第２レッグ部６は、第２編地から成る。第２編地としては、２×３リブ編組織が用いられる。第３レッグ部８は、第３編地から成る。第３編地としては、第１編地と同様な平編組織が用いられる。第４レッグ部９は、第４編地から成る。第４編地としては、第２編地よりも高い緊締力を有する組織として、１×１リブ編組織が用いられる。すなわち、大腿部４を包被する第２レッグ部６の第２編地は、下腿部７を包被する第４レッグ部９の第４編地よりも緊締力の低い編地が用いられる。
【００２２】
大腿部４と下腿部７との間の膝部１１は、第５レッグ部１２が密着して包被される。第５レッグ部１２は、第１編地と同じ緊締力を有する第５編地から成る。第５編地としては、第２編地の緊締力と第４編地の緊締力との中間的な緊締力を有する２×２リブ編組織が用いられる。第１〜第５編地としては、たとえばナイロン８０％、ポリウレタン２０％の伸縮性に優れた編地素材によって実現されてもよい。
【００２３】
パンティ部１０の前身は、第２編地、第５編地、第４編地の順に両脇の上方向に扇状に構成することによって、余分な脂肪を両サイド上方向に誘導し、適度な締め付けによってサポートし、パンティ部１０の後身は、ヒップの丸味に合わせ、第１編地でしっかりサポートし、第２編地の戻ろうとする力で丸味を保ちつつ上方向へ誘導するように構成されている。また、中央部前身ウエストから股間を通り、後ウエストまでは、鹿の子編みを入れることで、臀部の凹凸にフィットし、運動時のツッパリの軽減を期待できるように構成されている。
【００２４】
図５は、下肢用衣類１を着用した着用者２の下肢３へのサポート機能を説明するための図であり、図６は下肢３を正面および背後から見た図である。下肢３の大腿部には、大臀筋に連なる大腿四頭筋、大腿二頭筋などがあり、これらの筋肉を一定以上伸びにくい第１大腿密着部である第１レッグ部５によって、矢符Ａで示されるように、下から上へ誘導するとともに、運動時の過度の変位・変形を抑制し、高いサポート効果を付与することができる。また、下腿部には、腓腹筋などがあり、このような筋肉を第１下腿密着部である第３レッグ部８によって、矢符Ｂで示されるように、下から上へ誘導するとともに、運動時の過度の変位・変形を抑制し、高いサポート効果を付与することができる。
【００２５】
本実施形態では、第２レッグ部６を構成する第２編地の緊締力が第４レッグ部９を構成する第４編地の緊締力よりも低いので、太い大腿部に対しては着圧が低く、たとえば９ｈＰａ〜１１ｈＰａであり、大腿部に比べて細い下腿部に対しては、大腿部よりも着圧を高く、たとえば１３ｈＰａ〜２０ｈＰａにすることができ、過度の締付けあるいは緩みのない、着用感に優れた下肢用衣類１を実現することができる。
【００２６】
また、第１編地の緊締力と第３編地の緊締力とが同じであるので、大腿部および下腿部の筋肉の過度の変位・変形を抑制して高いフィット感を得ることができる。
【００２７】
本実施形態において、第１および第３レッグ部５，８は大腿部および下腿部の内側の下端端を始点とし、前身を経て外側へ旋回するように密着するので、太ももやふくらはぎを伸縮性の高いリブ部分である第２および第４レッグ部６，９と、脚の太い部分から細い部分に向けて少しずつ細くなる、伸縮性の少ない平編の第１および第３レッグ部５，８とが密着するように構成されるので、筋肉などに内側から外側上方へ同様な螺旋状の方向性を持たせて誘導することができ、これによって効率よく、より美しい引き締め効果を期待することができ、エクササイズなどの運動時にもマッサージ効果を高め、より高い引き締め効果を期待することができる。また、着用者２が方向性を意識し、姿勢を保持するようになるので、Ｏ脚の改善および予防を期待することができる。
【００２８】
さらに、足首から太ももにかけて徐々に接触圧力を緩める段階的着圧設計と、螺旋状の第１および第３レッグ部５，８による着圧とによって、エクササイズなどの運動時の疲労軽減、むくみ防止効果を期待することができる。特に、第１および第３レッグ部５，８は、右足は右回り、左足は左回りにすることによって、姿勢矯正、美脚、Ｏ脚予防などの効果を期待することができる。
【００２９】
また膝部１１には、１段の第５レッグ部１２が密着するように構成されるので、着用者２の体型が様々であり、同じ組織で大腿部および下腿部の長さの相違による膝位置のずれを許容することができる。
【００３０】
また、パンティ部１０の前身頃腹部において、伸縮性の高いリブ部分から中間の伸縮性のリブ部分、そして小さい伸縮性のリブ部分を両脇方向に扇状に配設することによって、ウエスト引き締め効果やエクササイズなどの運動で筋肉に刺激を与え、脂肪の燃焼を促す効果を期待することができる。また、ヒップ部分においては、ヒップ中央を経て伸びのよい鹿の子編を配設することによって、自然にヒップの形に沿った着用感を得ることができ、エクササイズなどの運動時にも、余計なツッパリ感を軽減することができる。また、伸縮性の高いリブ部分をヒップのふくらみに合わせて配設し、ヒップ中央部を伸縮性に小さい丸型の平編で構成することによって、ヒップの形状を整えることができる。
【００３１】
前述の実施形態では、下肢用衣類１としてレギンスについて述べたが、本発明の他の実施形態では、タイツ、トレンカ、７分丈（膝下）レギンス、５分丈（膝上）レギンス、アームカバーなどに対しても、本発明を好適に実施することができ、この場合にも、同様な効果を奏することができる。
【符号の説明】
【００３２】
１  下肢用衣類
２  着用者
３  下肢
４  大腿部
５  第１レッグ部
６  第２レッグ部
７  下腿部
８  第３レッグ部
９  第４レッグ部
１０  パンティ部
１１  膝部
１２  第５レッグ部
【図１】
2016199820.tif 000003
【図２】
2016199820.tif 000004
【図３】
2016199820.tif 000005
【図４】
2016199820.tif 000006
【図５】
2016199820.tif 000007
【図６】
2016199820.tif 000008